(57)【特許請求の範囲】
【請求項１】
複数の挿通孔が形成されている弾性体からなる外装部材の複数の挿通孔を拡開して、拡開された複数の挿通孔に電線を挿通する際に使用する外装部材の拡開装置であって、
上記外装部材の挿通孔に対応して突設された対をなす突起と、
上記外装部材の異なる挿通孔を上記対をなす各突起にそれぞれ遊嵌できる遊嵌位置と、外装部材の複数の挿入孔を拡開させるために上記対をなす突起が互いに離反した拡開位置とに、上記対をなす突起を変位させるねじ式の変位手段と
を備えることを特徴とする外装部材の拡開装置。
【発明の詳細な説明】
【０００１】
【発明の属する技術分野】
本発明は外装部材の拡開装置に関する。
【０００２】
【従来の技術】
ワイヤハーネスを製造する際、当該ワイヤハーネスを構成している電線の外周にグロメット等、弾性体からなる外装部品を装着する必要が多々ある。そのような場合に、外装部品に形成された挿通孔を拡開して、電線の挿通を容易にするための装着具が種々提案されている。
【０００３】
例えば本件出願人が先に提案している出願に係る特開平８−１３０８１９号公報には、基台上に先細傾斜状に切欠き形成された中空の軸状に形成された拡開装着部を立設し、この拡開装着部の基端部側にてこレバーを配置し、拡開装着部に弾性外装部品を装着して、上記拡開装着部の中空開口部から電線を挿通するとともに、挿通後に上記てこレバーで弾性外装部品を上方に押し上げて拡開装着部から抜き出すことにより、電線上に弾性外装部品を装着させている。
【０００４】
また、本件出願人は、周方向に分割された中空の拡開管を設け、この拡開管の各分割片にリンク部材を取り付けて、各分割片を当該拡開管の径方向に変位させることにより、拡開管に挿通された弾性外装部品を拡開する装置も提案している。
【０００５】
さらに本件出願人は、実公昭６３−１４１９号において、外装部材の挿通孔に挿入される突起をエアシリンダで駆動して外装部材を拡開する構成のものを開示している。
【０００６】
【発明が解決しようとする課題】
ところでワイヤハーネスの製造時に必要な外装部材としては、図７に示す形状のものもある。図７は本発明の対象となる外装部材の一例を示しており、（Ａ）は正面図、（Ｂ）は底面図である。
【０００７】
同図に示すように、外装部材１としては、略直方体形状の本体２に対し、長手方向に沿って二列に整列された複数の挿通孔３を有するものがある。このような外装部材１に対して上述のような装着具を用いたとしても、各挿通孔３毎に拡開するのは手間がかかり、また、各挿通孔３を中空管で同時に拡開しようとすると、拡開時の抵抗が大きくなって作業性が悪くなるという不具合があった。
【０００８】
また、上記実公昭６３−１４１９号に係る先行技術を採用した場合には、ある程度改善されるが、エアーシリンダを駆動源として図７のような外装部材を拡開した場合には、電線挿通後の外装部材と突起との摩擦抵抗が大きすぎて、作業者が手作業で外装部材を引き抜くのが至って困難になってしまうという問題があった。
【０００９】
本発明は上記不具合に鑑みてなされたものであり、比較的多くの挿通孔が形成されている外装部材に対して電線を容易に挿通することのできる外装部材の拡開装置を提供することを課題としている。
【００１０】
【課題を解決するための手段】
上記課題を解決するために本発明は、
複数の挿通孔が形成されている弾性体からなる外装部材の複数の挿通孔を拡開して、拡開された複数の挿通孔に電線を挿通する際に使用する外装部材の拡開装置であって、
上記外装部材の挿通孔に対応して突設された対をなす突起と、
上記外装部材の異なる挿通孔を上記対をなす各突起にそれぞれ遊嵌できる遊嵌位置と、外装部材の複数の挿入孔を拡開させるために上記対をなす突起が互いに離反した拡開位置とに、上記対をなす突起を変位させるねじ式の変位手段と
を備えることを特徴とする外装部材の拡開装置である。
【００１１】
この特定事項を含む発明では、複数の挿通孔を拡開するに当たり、従来の装置のように挿通孔に中空管を圧入するのではなく、各突起をそれぞれ別の挿通孔に遊嵌させるので、外装部材の着脱動作が容易になる。また、外装部材の挿通孔を拡開する際には、各突起を離反させることにより、外装部材が全体的に引っ張られることとなり、それによって複数の挿通孔を一斉に拡開することが可能になる。
【００１２】
さらに外装部材を拡開するための変位手段は、ねじ式になっており、作業者が電線挿通後の外装部材を突起から取り出しやすくすることが可能になる。
【００１３】
【発明の実施の形態】
以下、添付図面を参照しながら、本発明の好ましい実施の形態について詳述する。
【００１４】
図１は本発明の実施の一形態における拡開装置１０の概略構成を示す斜視図である。同図を参照して、図示の実施の形態に係る拡開装置１０は、作業台の上で外装部材としてのグロメット１（図７参照）を拡開して電線をグロメット１の挿通孔３内に挿通するための卓上型のものである。
【００１５】
拡開装置１０は、矩形のベース１１を備えている。このベース１１の長手方向両端側には、一対の軸受１２が固定されている。各軸受１２は、台形ねじ１３を回転自在に支持するためのものであり、台形ねじ１３の一方の端部には、ハンドル１４が固定されている。なお、以下の説明では、このハンドル１４が固定されている側を仮に前方とする。
【００１６】
各軸受１２の側部には、軸受１５が固定されており、この軸受１５によって、台形ねじ１３よりやや小径のガイド軸１６が台形ねじ１３と平行に固定されている。
【００１７】
上記ガイド軸１６には、一対の移動テーブル１７、１８が担持されている。
【００１８】
各移動テーブル１７、１８は、天板部１７ａ、１８ａと、天板部１７ａ、１８ａの側部に固定された側板部１７ｂ、１８ｂとを一体的に有しており、上記台形ねじ１３およびガイド軸１６は、これら移動テーブル１７、１８の側板部１７ｂ、１８ｂを挿通している。そして、台形ねじ１３に関しては、上記側板部１７ｂ、１８ｂに取り付けられたボス状のめねじ１７ｃ、１８ｃに螺合しているとともに、ガイド軸１６に関しては、側板部１７ｂ、１８ｂに取り付けられたボス筒１７ｄ、１８ｄに嵌入して各移動テーブル１７、１８を軸方向に摺動可能にガイドしている。さらに、上記台形ねじ１３は、中央部分でねじの巻き方向が逆向きになっている。そのため、上記ハンドル１４を一方向に回動させると、各移動テーブル１７、１８が互いに前後方向に近接し、他方向に回動させると、互いに前後方向に離反するようになっている。
【００１９】
各移動テーブル１７、１８の左右両端側には、複数の突起２０、２１を立設させた突起ベース２２、２３がビス止めされており、一方のテーブル１７（１８）に取り付けられた突起ベース２２（２３）の各突起２０と、他方のテーブル１８（１７）に取り付けられた突起ベース２３（２２）の各突起２１とが、互いに対をなして一つのグロメット１を装着できるようになっている。
【００２０】
さらに、図示の実施の形態では、一方の移動テーブル１７の天板部１７ｂの前端側中央部分にてこ台２５が略片持ち状にビス止めされている。
【００２１】
このてこ台２５は、ブロック状の金属製部材であり、その上端部に固定された矩形の台座２５ａによって、てこ部材２６の支点を与えることにより、てこ部材２６によって電線挿通後のグロメット１を突起２０、２１から押し上げて、抜き出すためのものである。上記てこ部材２６の先端部には、各突起２０、２１を前後に挟み込むことのできる二股部２６ａが形成されているとともに、上記てこ台２５には、該てこ台２５の下面から左右に突出して、二股部２６ａをガイドするガイド突起２７が固定されている。
【００２２】
次に、図１並びに図２ないし図４を参照しながら、上述した実施の形態の作用について説明する。図２ないし図４は図１の実施の形態の要部を拡大して示す部分略図である。
【００２３】
図１および図２を参照して、作業者はハンドル１４を回して各移動テーブル２２、２３を近接させ、グロメット１の長手方向半分側に対応する各挿通孔３に対して各突起２０、２１が同時に遊嵌可能な遊嵌位置に変位させておく。この状態でグロメット１を把持して上記半分側の挿通孔３を突起２０、２１に嵌めることにより、各突起２０、２１は対応する挿通孔３に遊嵌する。
【００２４】
次いで、ハンドル１４を上記と逆向きに２回転させ、今度は各移動テーブル２２、２３を互いに離反させることにより、一方の突起２０の群と他方の突起２１の群とによって、グロメット１は、全体的にグロメット１全体を前後に引っ張られることになる結果、グロメット１の拡開状態を示す図５に示すように、各挿通孔３が楕円状もしくは長円状に拡開することになる。
【００２５】
この状態で図３に示すように、電線Ｗを対応する挿通孔３に挿通することにより、作業者は比較的容易に電線の挿通作業を行うことが可能になる。
【００２６】
さらに、電線Ｗの挿通が終了した後は、ハンドル１４を逆向きに１回転させ、ある程度緩めて、突起２０、２１とグロメット１との摩擦抵抗を低減させた状態で、図４に示すようにてこ部材２６を用いてグロメット１を突起２０、２１から押し上げることにより、グロメット１を突起２０、２１から離脱させることが可能になる。
【００２７】
図６は本発明の別の実施の形態に係る拡開装置３０を示す斜視図である。
【００２８】
同図を参照して、図示の拡開装置３０では、矩形のベース３１の前端側に左右対称に配置されて一端側が垂直軸周りに回動する一対の回動アーム３２、３３を取り付けている。各回動アーム３２、３３の自由端部分には、グロメット１を拡開するための突起３４、３５が一体に設けられており、各回動アーム３２、３３が対称形に回動することにより相対的に近接または離反するようになっている。
【００２９】
各回動アーム３２、３３には、リンク部材３６を介してスライダ３７が連結されている。このスライダ３７には、めねじ３７ａが設けられており、めねじ３７ａには、図１の実施の形態と同様なハンドル１４によって回転する台形ねじ１３が螺合している。そして、ハンドル１４の回転でスライダ３７を摺動させてリンク部材３６を駆動することにより、各回動アーム３２、３３は、対称形に回動して、各突起３４、３５を離反または近接させるようになっている。
【００３０】
さらに、上記ベース３１には、各回動アーム３２、３３の突起３４、３５と協働してグロメット１を拡開するための固定突起３９が立設されている。加えて、ベース３１には、上記スライダ３７を覆う天板４０が固定されており、天板４０には、てこ部材４１が水平軸４３周りに回動可能に取り付けられている。てこ部材４１の後端部分は、略球状の把手４２が固定されている一方、前端部分４１ａは二股状に形成されて、その間が上記固定突起３９に係止している。図示の例では、てこ部材４１の途中部にボルト４４を挿通して天板４０に止定し、このボルト４４の外周に配置されたコイルばね４５を上記てこ部材４１と天板４０との間に縮設することにより、てこ部材４１の前端部分４１ａを下方に付勢している。
【００３１】
この構成では、スライダ３７が図示のように後退している初期状態において各突起３４、３５が固定突起３９に近接し、各突起３４、３５、３９にグロメット１の挿通孔３を遊嵌可能な遊嵌位置に設定されている。そして、この遊嵌位置にある各突起３４、３５、３９に挿通孔３を遊嵌し、スライダ３７を前進させて回動アーム３２、３３を回動させ、対応する突起３４、３５を離反させることにより、グロメット１を拡開することが可能になる。そして、電線Ｗを挿通した後、上掲の実施の形態と同様に、スライダ３７を少しだけ後退させて突起３４、３５、３９とグロメット１との摩擦抵抗を低減させ、その後、てこ部材４１で突起３４、３５、３９からグロメット１を抜き出すことにより、容易に電線Ｗの挿通とグロメット１の取り出し作業とを行うことが可能になる。
【００３２】
このように上述した実施の形態では、各挿通孔３を拡開するに当たり、従来の装置のように挿通孔３に中空管を圧入するのではなく、複数の突起２０、２１、３４、３５、３９をそれぞれ対応する挿通孔３に遊嵌させることとしているので、グロメット１の着脱動作が容易になる。また、グロメット１の挿通孔３を拡開する際には、各突起２０、２１、３４、３５、３９を離反させることにより、各挿通孔３を一斉に拡開することが可能になる。また、各突起２０、２１、３４、３５、３９を台形ねじ１３を採用したねじ式の変位手段で駆動して、拡開されたグロメット１を電線挿通後に縮径することができるので、グロメット１を取り外す際にグロメット１と各突起との摩擦抵抗を低減することが可能になる。
【００３３】
従って、上述した各実施の形態では、グロメット１の着脱動作や拡開動作がいずれも容易になるので、作業性が向上し、電線の挿通作業を容易迅速に行うことができるという顕著な効果を奏する。
【００３４】
上述した実施の形態は、本発明の好ましい具体例を例示したものに過ぎず、本発明は上述した実施の形態に限定されない。本発明の特許請求の範囲内で種々の設計変更が可能であることは云うまでもない。
【００３５】
【発明の効果】
以上説明したように、本発明によれば、外装部材の着脱動作や拡開動作がいずれも容易になるので、作業性が向上し、電線の挿通作業を容易迅速に行うことができるという顕著な効果を奏する。
【図面の簡単な説明】
【図１】本発明の実施の一形態における拡開装置１０の概略構成を示す斜視図である。
【図２】図１の実施の形態の要部を拡大して示す部分略図である。
【図３】図１の実施の形態の要部を拡大して示す部分略図である。
【図４】図１の実施の形態の要部を拡大して示す部分略図である。
【図５】グロメットの拡開状態を示す概略図である。
【図６】本発明の別の実施の形態に係る拡開装置を示す斜視図である。
【図７】本発明の対象となる外装部材の一例を示しており、（Ａ）は正面図、（Ｂ）は底面図である。
【符号の説明】
１        グロメット（外装部材）
２        本体
３        挿通孔
１０    外装部材の拡開装置
１１    ベース
１２    各軸受
１２    軸受
１３    形ねじ
１４    ハンドル
１５    軸受
１６    ガイド軸
１７    移動テーブル
１８    移動テーブル
２０    突起
２１    突起
３０    拡開装置
３４    突起
３５  突起
３７    スライダ
３９    固定突起
【図１】
0003582573.tif 000002
【図２】
0003582573.tif 000003
【図３】
0003582573.tif 000004
【図４】
0003582573.tif 000005
【図５】
0003582573.tif 000006
【図６】
0003582573.tif 000007
【図７】
0003582573.tif 000008